(57)【要約】【課題】ノートＰＣにセキュリティワイヤを接続しなければ電源スイッチを操作しても、ノートＰＣが起動しないようにすることで使用者にセキュリティワイヤを接続することを促し、セキュリティ強化する。あるいはセキュリティモラルの向上を図ることを目的とする。【解決手段】ノートＰＣにセキュリティワイヤを装着して静止物に係留するためのセキュリティワイヤ装着用の穴部１１−２と、セキュリティワイヤ装着用の穴部にセキュリティワイヤの係合金具を装着することでノートＰＣの電源スイッチを有効にする手段１４とを備えたノートＰＣであり、ノートＰＣにセキュリティワイヤを接続しなければＰＣ電源スイッチを操作してもノートＰＣは起動しない構成としたために、使用者にセキュリティワイヤを接続することを促し、セキュリティ強化につながる。【選択図】図１
2009020558.tif 000002
【特許請求の範囲】
【請求項１】
ノート型パーソナルコンピュータにセキュリティワイヤを装着して静止物に係留するためのセキュリティワイヤ装着用の穴部と、
前記セキュリティワイヤ装着用の穴部にセキュリティワイヤの係合金具を装着することでノート型パーソナルコンピュータの電源スイッチを有効にする手段と
を備えたことを特徴とするノート型パーソナルコンピュータ。
【請求項２】
前記電源スイッチを有効にする手段は、
前記セキュリティワイヤの係合金具を前記セキュリティワイヤ装着用の穴部に挿入することにより押されて回路が閉じるスイッチを含むことを特徴とする請求項１に記載のノート型パーソナルコンピュータ。
【請求項３】
前記電源スイッチを有効にする手段は、フォトカプラを含み、
前記セキュリティワイヤの係合金具を前記セキュリティワイヤ装着用の穴部に挿入することで前記フォトカプラの発光素子の発光光を遮断して受光素子で光を検知しないように構成することで、係合金具を前記セキュリティワイヤ装着用の穴部へ挿入したことを検知することを特徴とする請求項１に記載のノート型パーソナルコンピュータ。
【請求項４】
セキュリティワイヤを装着しないとき、前記セキュリティワイヤ装着用の穴部を塞ぎ、かつ、前記電源スイッチを有効にする手段を強制的に有効にする部材を備えたことを特徴とする請求項１に記載のノート型パーソナルコンピュータ。
【発明の詳細な説明】
【技術分野】
【０００１】
本発明はいわゆるノート型パーソナルコンピュータ（以下、ノートＰＣ）の盗難を防止するセキュリティワイヤを用いて、これを接続したノートＰＣの盗難を抑止する機能に関するものである。
【背景技術】
【０００２】
近年、ノートＰＣの小型軽量化が進み、持ち運びが容易となってきたが、反面、不正規なユーザがこれら機器を無断で持ち去るという盗難行為も増えてきた。とりわけ、ノートＰＣは、処理能力の向上や普及も相まって、盗難の対象となり易い。
【０００３】
ノートＰＣ本体については、いわゆるセキュリティワイヤを用いることにより、比較的容易に盗難防止を実現することができる。
【０００４】
セキュリティワイヤとはパソコン盗難防止用の鍵とワイヤがセットになったもので、ケンジントン（Kensington）社より発売されているものが有名であり、ケンジントンロック（Kensington Lock、登録商標）とも呼ばれている。通常は、持ち運びが簡単なノートＰＣで使用されるが、最近はデスクトップ型も小型になり、簡単に持ち運べることができるので、デスクトップ型にもケンジントンロック装着用の穴部を設けている機種もある。
【０００５】
図４はノートＰＣとこれを係留するセキュリティワイヤを示した図である。
【０００６】
図４において１１はノートＰＣ、１２はセキュリティワイヤであり、１２−１はロック部、１２−２はワイヤ部である。
【０００７】
ノートＰＣのセキュリティワイヤ装着用の穴部にロック部１２−１の係合金具（図示せず、後述）を挿入し、ロック部１２−１の鍵穴に鍵１３を挿入し、回すことでノートＰＣ１１とロック部１２−１は係合され、ロックされる。ワイヤ部１２−２の一方はロック部１２−１に頑強に接続され、他方は容易に移動できない静止物（例えば机の脚）に巻き付けるなどして係留することで、ノートＰＣ１１を容易に持ち去ることができないようにする。
【特許文献１】特開２００３−３０８５７３号公報
【特許文献２】特開２０００−１８２１５９号公報
【特許文献３】特開２００４−４６４２５号公報
【発明の開示】
【発明が解決しようとする課題】
【０００８】
しかしながら、従来のセキュリティワイヤは、机の脚とノートＰＣをつなぎ、物理的に持ち出しされないようにするだけであった。そのため、セキュリティワイヤに接続するか否かは使用者のセキュリティモラルのレベルに依存していた。
【０００９】
本発明は上記従来の問題点を解決するもので、ノートＰＣにセキュリティワイヤを接続しなければ電源スイッチを操作しても、ノートＰＣが起動しないようにすることで使用者にセキュリティワイヤを接続することを促し、セキュリティ強化する。あるいはセキュリティモラルの向上を図ることを目的とする。
【課題を解決するための手段】
【００１０】
本発明の請求項１に記載の発明は、
ノート型パーソナルコンピュータにセキュリティワイヤを装着して静止物に係留するためのセキュリティワイヤ装着用の穴部と、
前記セキュリティワイヤ装着用の穴部にセキュリティワイヤの係合金具を装着することでノート型パーソナルコンピュータの電源スイッチを有効にする手段と
を備えたノート型パーソナルコンピュータ（ノートＰＣ）、としたものであり、ノートＰＣにセキュリティワイヤを接続しなければＰＣ電源スイッチを操作してもノートＰＣは起動しない構成としたために、使用者にセキュリティワイヤを接続することを促し、セキュリティ強化につながる。あるいは、セキュリティモラルの向上を図ることができる。また、仮にノートＰＣが盗難に合っても、盗んだ人がこの機能の存在を知らない人であれば、セキュリティワイヤを接続しない場合にはノートＰＣは起動しないので、ノートＰＣ内のデータ流出を回避できるという作用を有する。
【発明の効果】
【００１１】
以上のように本発明は、ノートＰＣにセキュリティワイヤを接続しなければＰＣ電源スイッチを操作してもノートＰＣは起動しない構成としたために、使用者にセキュリティワイヤを接続することを促し、セキュリティ強化につながる。あるいは、セキュリティモラルの向上を図ることができる。
【００１２】
また、仮にノートＰＣが盗難に合っても、盗んだ人がこの機能の存在を知らない人であれば、セキュリティワイヤを接続しない場合にはノートＰＣは起動しないので、ノートＰＣ内のデータ流出を回避できる、という優れた効果が得られる。
【発明を実施するための最良の形態】
【００１３】
以下、本発明の実施の形態について、図１から図３を用いて説明する。
【００１４】
（実施の形態１）
図１は、実施の形態１における本発明のセキュリティ機能付きノートＰＣとセキュリティワイヤを模式的に示した図である。
【００１５】
図１において、１１―１はノートＰＣ１１の筐体の断面、１１−２はセキュリティワイヤ装着用の穴部である。１２はセキュリティワイヤであり、１２−１はロック部、１２−２はワイヤ部、１２−３はロック部１２−１の係合金具である。係合金具１２−３はセキュリティワイヤ装着用の穴部１１−２に挿入され、ロックされることで穴部１１−２から係合金具１２−３は抜けない構造になっているが、詳しい構成は省略する。
【００１６】
１４はプッシュスイッチであり、１４−１はプッシュスイッチ本体、１４−２はプッシュキーであり、プッシュキー１４−２が押されることでプッシュスイッチ本体１４−１内に内蔵するスイッチ回路が閉じる構造になっている。プッシュスイッチ１４は、ノートＰＣ１１の筐体内にあり、かつ穴部１１−２に係合金具１２−３を挿入するとプッシュキー１４−２が押される位置になるよう設置される。
【００１７】
１３は鍵であり、ロック部１２−１の鍵穴に鍵１３を挿入し、回すことで係合金具１２−３はロック状態になる。
【００１８】
以上のように構成されたセキュリティ機能付きノートＰＣとセキュリティワイヤについて、図１（ａ）（ｂ）を用いてその動作を説明する。
【００１９】
まず、図１（ａ）において、セキュリティワイヤ１２の係合金具１２−３をセキュリティワイヤ装着用の穴部１１−２に挿入する。
【００２０】
次に、図１（ｂ）において、セキュリティワイヤ１２の係合金具１２−３はプッシュキー１４−２を押し、プッシュスイッチ本体１４−１内のスイッチ回路が閉じる。さらに鍵１３をロック部１２−１の鍵穴に鍵１３を挿入し、回すことで係合金具１２−３はロック状態になり、セキュリティワイヤ装着用の穴部１１−２とセキュリティワイヤで１２は係合され、よって、ノートＰＣ１１はキュリティワイヤ１２を介して容易に移動できない静止物（例えば机の脚）に係留されノートＰＣ１１本体が容易に持ち去ることができないようになる。
【００２１】
さらに、プッシュスイッチ本体１４−１内のスイッチ回路が閉じるために、これと直列に接続したノートＰＣ電源スイッチ１５を押すことでノートＰＣ１１を起動することができる。
【００２２】
逆にいえば、セキュリティワイヤ１２の係合金具１２−３をセキュリティワイヤ装着用の穴部１１−２に挿入しない状態であれば、ノートＰＣの使用者が電源スイッチ１５を押しても起動しないので、使用者は自ずとノートＰＣを使用するときにはセキュリティワイヤを接続するようになる。
【００２３】
以上のように本実施の形態によれば、ノートＰＣにセキュリティワイヤを接続しなければＰＣ電源スイッチを操作してもノートＰＣは起動しない構成としたために、使用者にセキュリティワイヤを接続することを促し、セキュリティ強化につながる。あるいは、セキュリティモラルの向上を図ることができる。
【００２４】
また、仮にノートＰＣが盗難に合っても、盗んだ人がこの機能の存在を知らない人であれば、セキュリティワイヤを接続しない場合にはノートＰＣは起動しないので、ノートＰＣ内のデータ流出を回避できる。
【００２５】
なお、１６はプッシュスイッチ１４と並列に接続したスイッチであり、スイッチ１６を閉じることでプッシュスイッチ１４は短絡され、セキュリティワイヤ１２をノートＰＣ１１に接続しなくても電源スイッチ１５は有効にすることができる。これは屋外使用などセキュリティワイヤ１２を使用しないときにスイッチ１６を閉じることで電源スイッチ１５を有効にして、ノートＰＣ１１の起動を可能にする。スイッチ１６の具体例は実施の形態３に後述する。
【００２６】
（実施の形態２）
図２は、実施の形態２における本発明のセキュリティ機能付きノートＰＣとセキュリティワイヤを模式的に示した図である。
【００２７】
図２において、２４はフォトカプラで構成された光スイッチである。フォトカプラは入力された電気信号を内部で光信号に変換し、それを受光して再度電気信号に変換して出力する電子部品である。内部には、発光素子と受光素子とが一対に実装してある。発光素子であるＬＥＤ（発光ダイオード）２４−１と受光素子であるフォトトランジスター２４−２とを組み合わせて光を媒介とした結合素子である。
【００２８】
本実施の形態ではＬＥＤ２４−１より発光した光をフォトトランジスター２４−２で受光検知するとノートＰＣの電源スイッチ１５は無効になり、ＬＥＤ２４−１より発光した光を遮断してフォトトランジスター２４−２では光を検知できない場合には電源スイッチ１５は有効、すなわち使用者が電源スイッチを操作すると、ノートＰＣが起動するような回路を構成しているが、詳細は省略する。
【００２９】
なお、本実施の形態では、実施の形態１におけるプッシュスイッチ１４に代えて光スイッチ１４をセキュリティワイヤ装着用の穴部付近に設置する以外は同じ構成であり、同じ符号を付している。
【００３０】
以上のように構成されたセキュリティ機能付きノートＰＣとセキュリティワイヤについて、図２（ａ）（ｂ）を用いてその動作を説明する。
【００３１】
まず、図２（ａ）において、セキュリティワイヤ１２の係合金具１２−３をセキュリティワイヤ装着用の穴部１１−２に挿入する。
【００３２】
次に、図２（ｂ）において、セキュリティワイヤ１２の係合金具１２−３は、穴部１１−２を通過してＬＥＤ２４−１とフォトトランジスター２４−２の間の空間に挿入される。これによりＬＥＤ２４−１より発光した光は遮られ、フォトトランジスター２４−２では光を検知できない。
【００３３】
さらに鍵１３をロック部１２−１の鍵穴に鍵１３を挿入し、回すことで係合金具１２−３はロック状態になり、セキュリティワイヤ装着用の穴部１１−２とセキュリティワイヤで１２は係合され、よって、ノートＰＣ１１はキュリティワイヤ１２を介して容易に移動できない静止物（例えば机の脚）に係留され、ノートＰＣが容易に持ち去ることができないようになる。
【００３４】
このとき、上述したようにＬＥＤ２４−１より発光した光を遮断して、フォトトランジスター２４−２では発光光を検知できないため電源スイッチ１５は有効となり、すなわち使用者が電源スイッチ１５を操作することでノートＰＣ１１は起動することができる。
【００３５】
逆にいえば、セキュリティワイヤ１２の係合金具１２−３をセキュリティワイヤ装着用の穴部１１−２に挿入しない状態であれば、ＬＥＤ２４−１より発光した光をフォトトランジスター２４−２で受光検知することができ、ノートＰＣの電源スイッチ１５は無効になり、使用者が電源スイッチ１５を操作してもノートＰＣは起動しないので、使用者は自ずとノートＰＣを使用するときにはセキュリティワイヤを接続するようになる。
【００３６】
以上のように本実施の形態によれば、ノートＰＣにセキュリティワイヤを接続しなければノートＰＣ電源スイッチを操作してもノートＰＣは起動しない構成としたために、使用者にセキュリティワイヤを接続することを促し、セキュリティ強化につながる。あるいは、セキュリティモラルの向上を図ることができる。
【００３７】
（実施の形態３）
図３は実施の形態３における本発明のセキュリティ機能付きノートＰＣとセキュリティワイヤを模式的に示した図である。
【００３８】
図３（ａ）１７−１はセキュリティワイヤ装着用の穴部を塞ぐキャップ兼プッシュスイッチ１４のプッシュキー１４−２を押して電源スイッチ１５を有効にする部材である。
【００３９】
図３（ｂ）１７−２はセキュリティワイヤ装着用の穴部を塞ぐキャップ兼フォトカプラのＬＥＤより発光した光を遮断してフォトトランジスターで光を検知できないようにして電源スイッチ１５は有効にする部材である。
【００４０】
屋外使用などセキュリティワイヤ１２を使用しないときには、部材１７を用いてセキュリティワイヤ装着用の穴部を塞ぎ、ゴミ、埃、水がノートＰＣの内部に侵入しないようにするとともに実施の形態１に記載したプッシュスイッチ１４を短絡する、あるいは実施の形態２に記載した光スイッチ２４のフォトカプラのＬＥＤより発光した光を遮断して、電源スイッチ１５を有効することでノートＰＣを起動することを可能にする。
【００４１】
なお、実施の形態１のスイッチ１６の具体例実施例がこれに相当する。すなわち、プッシュスイッチ１４を強制的に短絡する、あるいは、光スイッチ２４のＬＥＤ発光光を強制的に遮断することがスイッチ１６を閉じる作用に同じであることを意味する。
【００４２】
なお、スイッチ１６をソフトウェアの設定によってプッシュスイッチ１４、または光スイッチ２４の作用を無効にしてプッシュスイッチ１４、光スイッチ２４の状態に関わらず電源スイッチ１５を有効にするようにしても良いし、また、ノートＰＣの本体に隠しスイッチを設けてスイッチ１６としても良い。
【００４３】
また、ノートＰＣ起動中にセキュリティワイヤを取り外したり、あるいは電源スイッチ１５を有効にする部材１７を取り去ったりしてもノートＰＣはオペレーティングシステムの所定の操作で終了するものであり、この点ノートＰＣの動作に問題は発生しない。
【産業上の利用可能性】
【００４４】
本発明にかかるノートＰＣは、ノートＰＣにセキュリティワイヤを接続しなければＰＣ電源スイッチを操作してもノートＰＣは起動しない構成としたために、使用者にセキュリティワイヤを接続することを促し、セキュリティ強化につながる効果を有し、ノートＰＣの盗難を防止するセキュリティワイヤを用いて、これを接続したノートＰＣの盗難を抑止する機能等として有用である。
「別の記載方法」
【図面の簡単な説明】
【００４５】
【図１】実施の形態１における本発明のセキュリティ機能付きノートＰＣとセキュリティワイヤを模式的に示した図
【図２】実施の形態２における本発明のセキュリティ機能付きノートＰＣとセキュリティワイヤを模式的に示した図
【図３】実施の形態３における本発明のセキュリティ機能付きノートＰＣとセキュリティワイヤを模式的に示した図
【図４】従来のノートＰＣとこれを係留するセキュリティワイヤを示した図
【符号の説明】
【００４６】
１１  ノート型パーソナルコンピュータ（ノートＰＣ）
１１―１  ノートＰＣの筐体
１１−２  セキュリティワイヤ装着用の穴部
１２  セキュリティワイヤ
１２−１  ロック部
１２−２  ワイヤ部
１２−３  係合金具
１３  鍵
１４  プッシュスイッチ
１５  電源スイッチ
１６  スイッチ
１７
２４  フォトカプラ
２４−１  発光素子、ＬＥＤ（発光ダイオード）
２４−２  受光素子、フォトトランジスター
【図１】
2009020558.tif 000003
【図２】
2009020558.tif 000004
【図３】
2009020558.tif 000005
【図４】
2009020558.tif 000006